(57)【要約】【課題】色温度の異なる複数通りの光を発することができ、且つ照度の制御が可能な発光モジュール及び照明装置を安価に提供する。【解決手段】本発明の一の実施の形態に係る照明装置は、所定の色で発光する第１の発光回路と、所定の色とは異なる色で発光する第２の発光回路と、第１の発光回路及び第２の発光回路を制御する単一の電力制御回路と、電力制御回路に対して調光制御信号を出力する単一のマイクロコンピュータと、外部に配置された片切の位相制御方式の調光器を介して供給された交流電圧を整流し、平滑化してマイクロコンピュータに供給する整流・平滑化回路とを備えている。【選択図】図６
2016219425.tif 000002
【特許請求の範囲】
【請求項１】
所定の色で発光する第１の発光回路と、
前記所定の色とは異なる色で発光する第２の発光回路と、
前記第１の発光回路及び前記第２の発光回路を制御する単一の電力制御回路と、
前記電力制御回路に対して調光制御信号を出力する単一のマイクロコンピュータと、
外部に配置された片切の位相制御方式の調光器を介して供給された交流電圧を整流し、平滑化して前記マイクロコンピュータに供給する整流・平滑化回路と
を備え、
前記電力制御回路は、前記調光器により電力の供給が切断されてから所定の時間内に再度電力が供給された際に、前記第１の発光回路に電力を供給することで該第１の発光回路が発光した照明状態と、前記第２の発光回路に電力を供給することで該第２の発光回路が発光した照明状態とを切り替えるよう構成されており、
前記整流・平滑化回路を介して前記調光器から前記マイクロコンピュータに供給される電圧又は電流には、位相角の情報が含まれており、
前記マイクロコンピュータは、前記整流・平滑化回路から供給される電圧又は電流に含まれる位相角の情報に基づいて、前記電力制御回路に対して前記調光制御信号を出力するよう構成されており、
前記電力制御回路は、前記マイクロコンピュータから出力された前記調光制御信号に基づいて、電力が供給される発光回路の照度を調整可能に構成されている
ことを特徴とする発光モジュール。
【請求項２】
前記マイクロコンピュータから出力される前記調光制御信号は、ＰＷＭ信号である
ことを特徴とする請求項１に記載の発光モジュール。
【請求項３】
前記第１の発光回路は、一対の端子の間に接続された複数の第１の発光ダイオードを備え、
前記第２の発光回路は、他の一対の端子の間に接続された複数の第２の発光ダイオードを備える
ことを特徴とする請求項１又は２に記載の発光モジュール。
【請求項４】
前記第１の発光回路及び前記第２の発光回路の一端は、共通の配線を介して前記電力制御回路に電気的に接続され、
前記第１の発光回路及び前記第２の発光回路の他端は、独立した配線を介してそれぞれ前記電力制御回路に電気的に接続されている
ことを特徴とする請求項１〜３のいずれか１項に記載の発光モジュール。
【請求項５】
請求項１〜４のいずれか１項に記載の発光モジュールを搭載した照明装置。
【発明の詳細な説明】
【技術分野】
【０００１】
本発明は、発光モジュール及び照明装置に関する。
【背景技術】
【０００２】
半導体技術の進展や省電力化の要請等により、発光ダイオードが照明装置として利用されている。このような照明装置は、一般的に、従来の白熱灯等と比較して発光効率が高く、低消費電力である。
【０００３】
また、位相制御方式の調光器によって照明装置に供給される電力を調整し、照明装置の照度を制御することがあった。例えば、発光ダイオードを利用した照明装置にこのような照度の制御を利用する場合には、照明装置に、これに対応する電力制御回路が搭載されていた。
【０００４】
また、発光ダイオードを利用した照明装置においては、発光ダイオードが搭載される基板上に、発光した際の色が異なる２通りの発光回路を設け、操作に応じて一方の発光回路のみを発光させることにより、色温度の異なる２通りの光を、１つの照明装置から発することも出来る。このような場合には、一方の発光回路に電力を供給する電力制御回路と、他方の発光回路に電力を供給する電力制御回路とが設けられ、これら２つの電力制御回路によって発光回路を制御していた。
【先行技術文献】
【特許文献】
【０００５】
【特許文献１】特開２０１０−１５７１４号公報
【発明の概要】
【発明が解決しようとする課題】
【０００６】
例えば、色温度の異なる複数通りの光を発することができ、且つ照度の制御が可能な照明装置を提供しようとする場合、照明装置に、色温度の異なる複数の発光回路を設け、更にそれぞれの発光回路について独立して電力制御回路を設けることとなる。しかしながら、電力制御回路は比較的高価であるため、安価に照明装置を提供することは困難な場合があった。
【０００７】
本発明はこのような課題に鑑みなされたものであり、色温度の異なる複数通りの光を発することができ、且つ照度の制御が可能な発光モジュール及び照明装置を安価に提供することを目的とする。
【課題を解決するための手段】
【０００８】
本発明の実施の形態に係る発光モジュールは、所定の色で発光する第１の発光回路と、前記所定の色とは異なる色で発光する第２の発光回路と、前記第１の発光回路及び前記第２の発光回路を制御する単一の電力制御回路と、前記電力制御回路に対して調光制御信号を出力する単一のマイクロコンピュータと、外部に配置された片切の位相制御方式の調光器を介して供給された交流電圧を整流し、平滑化して前記マイクロコンピュータに供給する整流・平滑化回路とを備え、前記電力制御回路は、前記調光器により電力の供給が切断されてから所定の時間内に再度電力が供給された際に、前記第１の発光回路に電力を供給することで該第１の発光回路が発光した照明状態と、前記第２の発光回路に電力を供給することで該第２の発光回路が発光した照明状態とを切り替えるよう構成されており、前記整流・平滑化回路を介して前記調光器から前記マイクロコンピュータに供給される電圧又は電流には、位相角の情報が含まれており、前記マイクロコンピュータは、前記整流・平滑化回路から供給される電圧又は電流に含まれる位相角の情報に基づいて、前記電力制御回路に対して前記調光制御信号を出力するよう構成されており、前記電力制御回路は、前記マイクロコンピュータから出力された前記調光制御信号に基づいて、電力が供給される発光回路の照度を調整可能に構成されている。
【０００９】
また、上記実施の形態に係る発光モジュールにおいて、前記マイクロコンピュータから出力される前記調光制御信号は、ＰＷＭ信号であるとしても良い。
【００１０】
さらに、上記実施の形態に係る発光モジュールにおいて、上記第１の発光回路は、一対の端子の間に接続された複数の第１の発光ダイオードを備え、上記第２の発光回路は、他の一対の端子の間に接続された複数の第２の発光ダイオードを備えていても良い。
【００１１】
またさらに、上記実施の形態に係る発光モジュールにおいて、上記第１の発光回路及び第２の発光回路の一端は、共通の配線を介して上記電力制御回路に電気的に接続され、上記第１の発光回路及び第２の発光回路の他端は、独立した配線を介してそれぞれ上記電力制御回路に電気的に接続されていても良い。
【００１２】
本発明の実施の形態に係る照明装置は、上述した様ないずれかの発光モジュールを搭載している。
【発明の効果】
【００１３】
本発明によれば、色温度の異なる複数通りの光を発することができ、且つ照度の制御が可能な発光モジュール及び照明装置を安価に提供することが可能となる。
【図面の簡単な説明】
【００１４】
【図１】本発明の第１の実施の形態に係る照明装置の構成を示す機能ブロック図である。
【図２】同照明装置の構成例を示す平面図である。
【図３】同照明装置の構成例を示す正面図である。
【図４】同照明装置の構成例を一部省略して示す底面図である。
【図５】本発明の第２の実施の形態に係る照明装置の構成を示す機能ブロック図である。
【図６】本発明の第３の実施の形態に係る照明装置の構成を示す機能ブロック図である。
【発明を実施するための形態】
【００１５】
［第１の実施の形態］
まず、図１を参照して、本発明の第１の実施の形態に係る照明装置１００の構成を説明する。図１は、本発明の第１の実施の形態に係る照明装置１００の構成を示す機能ブロック図である。
【００１６】
図１に示す通り、照明装置１００は、照明装置１００の外部に配置された調光器３００を介して交流電源２００に接続されている。照明装置１００には、照明用の発光モジュール（例えば、ＬＥＤモジュール）が搭載されている。交流電源２００は、例えば家庭用の電源等であり、１００Ｖの実効値を有する交流電圧を供給する。調光器３００は、例えば片切の位相制御方式の調光器であり、交流電源２００から供給された交流電圧を、その一部の位相についてのみ照明装置１００に転送し、残りの位相については転送しない。尚、調光器３００は、例えば壁面等に取り付けられたスイッチ等によって操作されても良いし、リモコンやスマートホン等によって操作されても良い。
【００１７】
図１に示す通り、照明装置１００は、光を発する発光部１１０と、交流電源２００から供給された電力を調整して発光部１１０に供給する電力制御部１２０とを有するＬＥＤモジュールを備えている。発光部１１０は、所定の色で発光する第１の発光回路１１１と、この所定の色とは異なる色で発光する第２の発光回路１１２とを備える。
【００１８】
電力制御部１２０は、第１の発光回路１１１及び第２の発光回路１１２の少なくとも一方を選択する選択回路１２１と、供給された電力を調整し、選択回路１２１によって選択された発光回路に調整された電力を供給する単一の演算回路１２２と、調光器３００を介して交流電源２００から供給された交流電圧を整流し、平滑化して、演算回路１２２に供給する整流・平滑化回路１２３とを備える。なお、電力制御部１２０による電力の調整は、種々の公知の制御、例えば、発光部１１０に出力する出力電流を調整することにより出力電力を調整する制御（定電流制御）、発光部１１０に出力する出力電圧を調整することにより出力電力を調整する制御（定電圧制御）、並びに、発光部１１０に出力する出力電力を監視し、出力電流及び出力電圧の少なくとも一方を調整することにより出力電力を調整する制御（定電力制御）等により実行することが可能である。
【００１９】
第１の発光回路１１１は、例えば白色等で発光し、第２の発光回路１１２は、例えば暖色系の電球色等で発光する。図１に示す通り、第１の発光回路１１１の一方の端子ｎ１１と第２の発光回路１１２の一方の端子ｎ２１とは、共通の配線ｎ３１を介して選択回路１２１に接続されている。これに対し、第１の発光回路１１１の他方の端子ｎ１２は配線ｎ３２を介して選択回路１２１のスイッチｓｗ１に接続され、第２の発光回路１１２の他方の端子ｎ２２は、配線ｎ３２と電気的に独立した配線ｎ３３を介して選択回路１２１のスイッチｓｗ２に接続されている。尚、図１には、第１の発光回路１１１及び第２の発光回路１１２の陽極側の端子ｎ１１及びｎ２１を共通に接続し、陰極側の端子ｎ１２及びｎ２２を独立して選択回路１２１に接続する例を示している。しかしながら、例えば、陰極側の端子ｎ１２及びｎ２２を共通に接続し、陽極側の端子ｎ１１及びｎ２１を独立して選択回路１２１に接続しても良い。また、陽極側の端子ｎ１１及びｎ２１を独立して選択回路１２１に接続し、且つ陰極側の端子ｎ１２及びｎ２２を独立して選択回路１２１に接続しても良い。
【００２０】
第１の発光回路１１１は、例えば、白色で発光する発光ダイオードを複数備えている。これら複数の発光ダイオードは、例えば上記端子ｎ１１と端子ｎ１２の間に直列に接続されていても良いし、並列に接続されていても良い。また、その他の方法によって接続されていても良い。
【００２１】
第２の発光回路１１２は、例えば、暖色系の色で発光する発光ダイオードを複数備えている。これら複数の発光ダイオードは、例えば上記端子ｎ２１と端子ｎ２２の間に直列に接続されていても良いし、並列に接続されていても良い。また、その他の方法によって接続されていても良い。
【００２２】
尚、第１の発光回路１１１における発光ダイオードの数と、第２の発光回路１１２における発光ダイオードの数とは、同数でも良いし、異なっていても良い。例えば、暖色系の色で発光する第１の発光回路１１１に含まれる発光ダイオードの数は、白色で発光する第２の発光回路１１２における発光ダイオードの数より少なくしても良い。
【００２３】
選択回路１２１は、例えば、集積回路等によって実現される。選択回路１２１は、例えば、１回目に電力が供給された場合には第１の発光回路１１１を選択し、電力の供給が切断されてから所定の時間（例えば、０．１秒〜３）内に再度電力が供給された場合には第２の発光回路１１２を選択する。その後、更に電力の供給が切断され、更に上記所定の時間内に再度電力が供給された場合、再度第１の発光回路１１１を選択しても良い。第１の発光回路１１１が選択された場合には、配線ｎ３１と配線ｎ３２との間に、演算回路１２２から供給された電力を転送する。一方、第２の発光回路１１２が選択された場合には、配線ｎ３１と配線ｎ３３との間に、演算回路１２２から供給された電力を転送する。尚、例えば第１の発光回路１１１及び第２の発光回路１１２を同時に選択し、その双方に電力を転送できるようにしても良い。また、選択回路１２１は、演算回路１２２からの制御信号に応じて、第１の発光回路１１１及び第２の発光回路１１２のうちの少なくとも一方を制御する様にしても良い。
【００２４】
尚、第１の発光回路１１１と第２の発光回路１１２との間で、発光するために要する電力等が異なる場合がある。このような場合、選択回路１２１は、第１の発光回路１１１が選択された場合と第２の発光回路１１２が選択された場合とで、転送される電力の大きさ等が異なる様に構成されていても良い。例えば、スイッチｓｗ１と配線ｎ３２との間や、スイッチｓｗ２と配線ｎ３３との間等に、抵抗や所定の回路等を挿入し、演算回路１２２から第１の発光回路１１１や第２の発光回路１１２に供給される電力を調整しても良い。尚、このような、選択する発光回路に応じた電力の調整は、演算回路１２２において行っても良い。
【００２５】
演算回路１２２は、アナログ信号を取り扱うことが可能な演算回路であり、例えば、マイコン（マイクロコンピュータ）等によって実現される。演算回路１２２は、例えば、アナログ入力端子において整流・平滑化回路１２３に接続され、アナログ出力端子において選択回路１２１に接続されている。演算回路１２２の記憶部（図示せず）には、例えば、入力端子台１３６から供給されるアナログ信号に含まれる情報（例えば、位相角等の位相情報）と、演算回路１２２が実行する演算処理の方法（例えば、発光部１１０に供給する出力電力の調整方法等）とが予め対応付けて格納されている。演算回路１２２は、入力端子台１３６からアナログ信号情報が供給された際に、該アナログ信号情報に対応する演算処理を記憶部から読み出し、記憶部から読み出した演算処理を実行するよう構成されている。より具体的には、整流・平滑化回路１２３から演算回路１２２に供給される電圧（又は電流）には位相角等の位相情報が含まれており、演算回路１２２は、この電圧（又は電流）に含まれる位相角等の位相情報に基づいて、発光部１１０に供給する出力電力を調整するよう構成されている。尚、演算回路１２２のデジタル出力端子を更に選択回路１２１に接続し、演算回路１２２によって選択回路１２１を制御する様にしても良い。尚、演算回路１２２は、例えば、１％〜１００％の調光比に対応している。
【００２６】
整流・平滑化回路１２３は、例えば、整流のためのダイオード等を含んでいる。また、整流・平滑化回路１２３は、例えば、平滑化のためのローパスフィルタ等を含んでいる。
【００２７】
次に、図２〜図４を参照して、本発明の第１の実施の形態に係る照明装置１００の構成例について説明する。図２〜図４は、同照明装置１００の構成例を示す図であり、それぞれ、平面図、正面図及び底面図を示している。
【００２８】
図２〜図４に示す通り、照明装置１００は、例えば、天井に形成された貫通孔に押し込まれることによって天井に取り付けられる、埋め込み式のＬＥＤライト（ダウンライト）であり、図１を参照して説明した照明用のＬＥＤモジュールを搭載している。照明装置１００は、上記発光部１１０が取り付けられる発光部載置部１３１と、この発光部載置部１３１に取り付けられると共に発光部１１０の発光面を覆うカバー１３２と、発光部載置部１３１に取り付けられる本体１３３と、この本体１３３に取り付けられ、照明装置１００を天井に固定する取付金具１３４とを備える。また、照明装置１００は、発光部載置部１３１に取り付けられると共に上記電力制御部１２０を収納するケース１３５と、このケース１３５に取り付けられ、外部から図示しない電源コード等を接続することにより、電力制御部１２０に電力を供給可能な入力端子台１３６とを備える。
【００２９】
図２〜図４に示す例において、発光部１１０は、例えば、基板上に複数の発光素子を形成し、これら発光素子をプリント配線によって接続することにより形成される。これら複数の発光素子うちの一部は、プリント配線によって共通に接続され、第１の発光部１１１として機能する。複数の発光素子のうちの残りの一部も、プリント配線によって共通に接続され、第２の発光部１１２として機能する。
【００３０】
図２〜図４に示す例において、電力制御部１２０は、例えば、図示しない基板上に、マイコン、その他の集積回路及び素子等を搭載することによって形成される。また、電力制御部１２０と発光部１１０とは、図示しない配線等によって接続されている。同様に、電力制御部１２０と入力端子台１３６内の電極とは、図示しない配線等によって接続されている。
【００３１】
図２〜図４に示す通り、発光部載置部１３１は、電力制御部１２０を搭載可能な程度の幅及び厚みを有する筐体である。また、発光部載置部１３１は、発光部１１０の発光面を露出させ、発光面と反対側の面を覆う様に形成されている。
【００３２】
図２〜図４に示す通り、カバー１３２は、略球面状の曲面を有する様に形成されている。カバー１３２は、発光部１１０が発した光の少なくとも一部を透過させる様に、透過性を有する部材から形成されている。
【００３３】
図２〜図４に示す通り、本体１３３は、略傘状（略円錐状）に形成された傘状部１３３Ａと、この傘状部１３３Ａの下端に形成された円盤状のフランジ部１３３Ｂとを備えている。傘状部１３３Ａの半径は、照明装置１００が取り付けられる貫通孔の半径よりも小さく、フランジ部１３３Ｂの半径は、照明装置１００が取り付けられる貫通孔の半径よりも大きい。従って、照明装置１００が、例えば天井等に取り付けられると、フランジ部１３３Ｂの上面が天井等に当接する。
【００３４】
図１を参照して説明した通り、本発明の第１の実施の形態に係る照明装置１００は、所定の色で発光する第１の発光回路１１１と、この所定の色とは異なる色で発光する第２の発光回路１１２と、第１の発光回路１１１及び第２の発光回路１１２を制御する演算回路１２２とを備える。また、この演算回路１２２は、供給された電力を調整し、第１の発光回路１１１及び第２の発光回路１１２の少なくとも一方に、調整された電力を供給する。
【００３５】
このような構成を有する照明装置１００は、演算回路１２２を有しており、この演算回路１２２によって供給された電力を調整する。また、この演算回路１２２は、第１の発光回路１１１及び第２の発光回路１１２の少なくとも一方に、調整された電力を供給する。従って、比較的高価な電力制御回路を複数設ける必要が無く、照明装置１００の製造コストを削減することが出来る。これにより、色温度の異なる複数通りの光を発することができ、且つ照度の制御が可能な照明装置を安価に提供することが出来る。
【００３６】
また、図１を参照して説明した通り、本実施の形態に係る照明装置１００は、第１の発光回路１１１及び第２の発光回路１１２の少なくとも一方を選択する選択回路１２１を備えている。また、演算回路は１２２、選択回路１２１によって選択された発光回路に、調整された電力を供給している。
【００３７】
また、図１を参照して説明した通り、第１の実施の形態に係る照明装置１００において、第１の発光回路１１１の一方の端子ｎ１１及び第２の発光回路１１２の一方の端子ｎ２１は、共通の配線ｎ３１を介して選択回路１２１に接続され、第１の発光回路１１１の他方の端子ｎ１２及び第２の発光回路１１２の他方の端子ｎ２２は、独立した配線ｎ３２及びｎ３３を介してそれぞれ選択回路１２１に接続されている。
【００３８】
このような態様においては、選択回路１２１において第１の発光回路１１１及び第２の発光回路１１２の一端の接続を切り替えることなく、他端の接続を切り替えれば良い。従って、選択回路１２１の構成を単純化して、構成要素の小型化及び低コスト化を実現することが出来る。
【００３９】
［第２の実施の形態］
次に、図５を参照して、本発明の第２の実施の形態に係る照明装置４００の構成を説明する。本発明の第２の実施の形態に係る照明装置４００の構成を示す機能ブロック図である。尚、以下の説明において、第１の実施の形態に係る照明装置１００と同様の部分については同一の符号を付し、説明を省略する。
【００４０】
図５に示す通り、本実施の形態に係る照明装置４００は、第１の実施の形態に係る照明装置１００とほぼ同様に構成されている。しかしながら、本実施の形態においては、電力制御部４２０の構成が、第１の実施の形態に係る電力制御部１２０と異なっている。即ち、図５に示す通り、本実施の形態に係る電力制御部４２０は、図１を参照して説明した選択回路１２１を備えていない。また、第１の発光回路１１１及び第２の発光回路１１２に接続された配線ｎ３１、ｎ３２及びｎ３３は、直接演算回路４２２に接続されている。また、本実施の形態においては、演算回路４２２が、供給された電力を調整し、第１の発光回路１１１及び第２の発光回路１１２の少なくとも一方を選択し、選択した方の発光回路に、調整した電力を供給する。
【００４１】
本実施の形態に係る照明装置４００は、演算回路４２２によって発光回路の選択を行っており、図１を参照して説明した選択回路１２１を備えていない。従って、部品点数を更に削減し、製造コストの削減及び小型化を図ることが可能である。尚、演算回路４２２の態様によっては、整流・平滑化回路１２３の機能の一部又は全てを演算回路４２２によって実現し、整流・平滑化回路１２３を省略することも考えられる。これにより、更なる製造コストの削減及び小型化を図ることが考えられる。尚、例えば、第１の発光回路１１１と第２の発光回路１１２との間で、発光するために要する電力等が異なる場合には、演算回路４２２において、選択する発光回路に応じて、転送される電力の大きさ等を調整しても良い。
【００４２】
［第３の実施の形態］
次に、図６を参照して、本発明の第３の実施の形態に係る照明装置５００の構成を説明する。図６は、本発明の第３の実施の形態に係る照明装置５００の構成を示す機能ブロック図である。なお、第３の実施の形態に係る照明装置５００は、図２〜図４に示す第１の実施の形態に係る照明装置１００の構成と同様の構成を有している。
【００４３】
図６に示す通り、照明装置５００は、照明装置５００の外部に配置された調光器３００を介して交流電源２００に接続されている。照明装置５００には、照明用の発光モジュール（例えば、ＬＥＤモジュール）が搭載されている。交流電源２００は、例えば家庭用の電源等であり、１００Ｖの実効値を有する交流電圧を供給する。調光器３００は、片切の位相制御方式の調光器であり、交流電源２００から供給された交流電圧を、その一部の位相についてのみ照明装置５００に転送し、残りの位相については転送しない。尚、調光器３００は、例えば壁面等に取り付けられたスイッチ等によって操作されても良いし、リモコンやスマートホン等によって操作されても良い。
【００４４】
図６に示す通り、照明装置５００は、光を発する発光部１１０と、交流電源２００から供給された電力を調整して発光部１１０に供給する電力制御部５２０とを有するＬＥＤモジュールを備えている。
【００４５】
発光部１１０は、所定の色で発光する第１の発光回路１１１と、この所定の色とは異なる色で発光する第２の発光回路１１２とを備える。
【００４６】
電力制御部５２０は、第１の発光回路１１１及び第２の発光回路１１２を制御する単一の電力制御回路５２１と、電力制御回路５２１に対して調光制御信号を出力する単一のマイクロコンピュータ５２２と、調光器３００を介して交流電源２００から供給された交流電圧を整流し、平滑化してマイクロコンピュータ５２２に供給する整流・平滑化回路１２３とを備える。
【００４７】
第１の発光回路１１１は、例えば白色等で発光し、第２の発光回路１１２は、例えば暖色系の電球色等で発光する。図６に示す通り、第１の発光回路１１１の一方の端子ｎ１１と第２の発光回路１１２の一方の端子ｎ２１とは、共通の配線ｎ３１を介して電力制御回路５２１に接続されている。これに対し、第１の発光回路１１１の他方の端子ｎ１２は配線ｎ３２を介して電力制御回路５２１のスイッチｓｗ１に接続され、第２の発光回路１１２の他方の端子ｎ２２は、配線ｎ３２と電気的に独立した配線ｎ３３を介して電力制御回路５２１のスイッチｓｗ２に接続されている。尚、図６には、第１の発光回路１１１及び第２の発光回路１１２の陽極側の端子ｎ１１及びｎ２１を共通に接続し、陰極側の端子ｎ１２及びｎ２２を独立して電力制御回路５２１に接続する例を示している。しかしながら、例えば、陰極側の端子ｎ１２及びｎ２２を共通に接続し、陽極側の端子ｎ１１及びｎ２１を独立して電力制御回路５２１に接続しても良い。また、陽極側の端子ｎ１１及びｎ２１を独立して電力制御回路５２１に接続し、且つ陰極側の端子ｎ１２及びｎ２２を独立して電力制御回路５２１に接続しても良い。
【００４８】
第１の発光回路１１１は、例えば、白色で発光する発光ダイオードを複数備えている。これら複数の発光ダイオードは、例えば上記端子ｎ１１と端子ｎ１２の間に直列に接続されていても良いし、並列に接続されていても良い。また、その他の方法によって接続されていても良い。
【００４９】
第２の発光回路１１２は、例えば、暖色系の色で発光する発光ダイオードを複数備えている。これら複数の発光ダイオードは、例えば上記端子ｎ２１と端子ｎ２２の間に直列に接続されていても良いし、並列に接続されていても良い。また、その他の方法によって接続されていても良い。
【００５０】
尚、第１の発光回路１１１における発光ダイオードの数と、第２の発光回路１１２における発光ダイオードの数とは、同数でも良いし、異なっていても良い。例えば、暖色系の色で発光する第１の発光回路１１１に含まれる発光ダイオードの数は、白色で発光する第２の発光回路１１２における発光ダイオードの数より少なくしても良い。
【００５１】
整流・平滑化回路１２３は、例えば、整流のためのダイオード等を含んでいる。また、整流・平滑化回路１２３は、例えば、平滑化のためのローパスフィルタ等を含んでいる。この整流・平滑化回路１２３は、外部に配置された片切の位相制御方式の調光器３００を介して供給された交流電圧を、ダイオード及びローパスフィルタ等の適宜の手段によって整流及び平滑化して、マイクロコンピュータ５２２に供給するよう構成されている。整流・平滑化回路１２３からマイクロコンピュータ５２２に供給される電圧（又は電流）には、調光器３００における調光操作に対応する位相角等の位相情報が含まれている。
【００５２】
マイクロコンピュータ５２２は、調光器３００における調光操作に対応する位相情報に基づいて各種信号を変換する演算回路である。マイクロコンピュータ５２２は、例えば、アナログ入力端子において整流・平滑化回路１２３に接続され、デジタル出力端子において電力制御回路５２１に接続されている。
【００５３】
マイクロコンピュータ５２２は、整流・平滑化回路１２３から供給される電圧又は電流に含まれる位相角の情報に基づいて、電力制御回路５２１に対して調光制御信号、例えばＰＷＭ信号を出力するよう構成されている。
【００５４】
具体的には、マイクロコンピュータ５２２は、調光器３００において付加された位相角等の位相情報をアナログ処理により読み取り、読み取った位相角に基づいて発光回路に供給すべき電力を演算し、演算された電力に対応する調光制御信号（例えばＰＷＭ信号）をデジタル処理により生成し、生成した調光制御信号を電力制御回路５２１に対して出力するよう構成されている。
【００５５】
マイクロコンピュータ５２２の記憶部（図示せず）には、例えば、入力端子台１３６を介して整流・平滑化回路１２３から供給されるアナログ信号に含まれる情報（例えば、位相角等の位相情報）と、マイクロコンピュータ５２２が実行する演算処理の方法（例えば、電力制御回路５２１に出力する調光制御信号の生成方法等）とが予め対応付けて格納されている。マイクロコンピュータ５２２は、入力端子台１３６からアナログ信号情報が供給された際に、該アナログ信号情報に対応する演算処理を記憶部から読み出し、記憶部から読み出した演算処理を実行するよう構成されている。より具体的には、整流・平滑化回路１２３からマイクロコンピュータ５２２に供給される電圧（又は電流）には位相角等の位相情報が含まれており、マイクロコンピュータ５２２は、この電圧（又は電流）に含まれる位相角等の位相情報に基づいて、電力制御回路５２１から発光部１１０に対して供給される出力電力を調整するよう構成されている。尚、マイクロコンピュータ５２２のデジタル出力端子を更に電力制御回路５２１に接続し、マイクロコンピュータ５２２によって電力制御回路５２１を制御する様にしても良い。
【００５６】
以上の構成を備えるマイクロコンピュータ５２２は、例えば、調光器３００において、調光比を５０％〜１００％にまで徐々に増加させた場合、照明装置５００における調光比を５０％〜１００％にまで漸次又は多段的に増加させるための調光制御信号を生成し、電力制御回路５２１に対して出力する。尚、マイクロコンピュータ５２２は、例えば、調光器３００において、調光比を５０％〜１００％にまで徐々に増加させた場合に、照明装置５００における調光比を１００％〜５０％にまで漸次又は多段的に減少させる反転動作を実行させるための調光制御信号を生成し、電力制御回路５２１に対して出力するよう構成されても良い。尚、マイクロコンピュータ５２２は、例えば、１％〜１００％の調光比に対応している。
【００５７】
電力制御回路５２１は、例えば、選択回路と一体の集積回路等によって実現され、発光部１１０に対する電力供給機能と、第１の発光回路１１１及び第２の発光回路１１２の間における電力供給先の切り替え機能とを有している。このように、単一の電力制御回路５２１が電力供給機能及び電力供給先の切り替え機能を有することにより、部品の点数を削減することが可能となるため、安価で小型な照明装置を実現可能である。また、電力制御回路５２１は、所謂プルレス操作に基づく調色制御（発光色の切り替え制御）と、マイクロコンピュータ５２２から出力された調光制御信号に基づく調光制御（照度調整制御）とを実行可能に構成されている。
【００５８】
具体的には、調色制御（発光色の切り替え制御）に関し、電力制御回路５２１は、調光器３００により電力の供給が切断されてから所定の時間内に再度電力が供給された際（すなわち、所謂プルレス操作が実行された際）に、第１の発光回路１１１に電力を供給することで該第１の発光回路１１１が発光した照明状態と、第２の発光回路１１２に電力を供給することで該第２の発光回路１１２が発光した照明状態とを切り替えるよう構成されている。例えば、電力制御回路５２１は、１回目に電力が供給された場合には第１の発光回路１１１を選択し、電力の供給が切断されてから所定の時間（例えば、０．１秒〜３）内に再度電力が供給された場合には第２の発光回路１１２を選択するよう構成されている。尚、電力制御回路５２１は、その後、更に電力の供給が切断され、更に上記所定の時間内に再度電力が供給された場合、再度第１の発光回路１１１を選択するよう構成されても良い。
【００５９】
また、調光制御（照度調整制御）に関し、電力制御回路５２１は、マイクロコンピュータ５２２から出力された調光制御信号に基づいて、選択された発光回路１１１，１１２に対する電力（電圧又は電流）の供給量を調整し、選択された発光回路１１１，１１２の照度を調整するよう構成されている。具体的には、電力制御回路５２１は、第１の発光回路１１１が選択されている場合には、配線ｎ３１と配線ｎ３２との間に、調光制御信号に基づいて調整された電力を供給するよう構成されており、第２の発光回路１１２が選択されている場合には、配線ｎ３１と配線ｎ３３との間に、調光制御信号に基づいて調整された電力を供給するよう構成されている。尚、例えば第１の発光回路１１１及び第２の発光回路１１２を同時に選択し、その双方に電力を転送できるようにしても良い。また、電力制御回路５２１は、マイクロコンピュータ５２２からの制御信号に応じて、第１の発光回路１１１及び第２の発光回路１１２のうちの少なくとも一方を制御する様にしても良い。
【００６０】
尚、電力制御回路５２１による電力の調整は、種々の公知の制御、例えば、発光部１１０に出力する出力電流を調整することにより出力電力を調整する制御（定電流制御）、発光部１１０に出力する出力電圧を調整することにより出力電力を調整する制御（定電圧制御）、並びに、発光部１１０に出力する出力電力を監視し、出力電流及び出力電圧の少なくとも一方を調整することにより出力電力を調整する制御（定電力制御）等により実行することが可能である。
【００６１】
また、第１の発光回路１１１と第２の発光回路１１２との間で、発光するために要する電力等が異なる場合がある。このような場合、電力制御回路５２１は、第１の発光回路１１１が選択された場合と第２の発光回路１１２が選択された場合とで、転送される電力の大きさ等が異なる様に構成されていても良い。例えば、スイッチｓｗ１と配線ｎ３２との間や、スイッチｓｗ２と配線ｎ３３との間等に、抵抗や所定の回路等を挿入し、電力制御回路５２１から第１の発光回路１１１や第２の発光回路１１２に供給される電力を調整しても良い。尚、このような、選択する発光回路に応じた電力の調整は、マイクロコンピュータ５２２において行っても良い。
【００６２】
図６を参照して説明した通り、本発明の第３の実施の形態に係る照明装置５００は、所定の色で発光する第１の発光回路１１１と、この所定の色とは異なる色で発光する第２の発光回路１１２と、第１の発光回路１１１及び第２の発光回路１１２を制御する単一の電力制御回路５２１と、電力制御回路５２１に対して調光制御信号を出力する単一のマイクロコンピュータ５２２と、外部に配置された片切の位相制御方式の調光器３００を介して供給された交流電圧を整流し、平滑化してマイクロコンピュータ５２２に供給する整流・平滑化回路１２３とを備える。また、電力制御回路５２１は、調光器３００により電力の供給が切断されてから所定の時間内に再度電力が供給された際に、第１の発光回路１１１に電力を供給することで該第１の発光回路１１１が発光した照明状態と、第２の発光回路１１２に電力を供給することで該第２の発光回路１１２が発光した照明状態とを切り替えるよう構成されている。さらに、整流・平滑化回路１２３を介して調光器３００からマイクロコンピュータ５２２に供給される電圧又は電流には、位相角の情報が含まれており、マイクロコンピュータ５２２は、整流・平滑化回路１２３から供給される電圧又は電流に含まれる位相角の情報に基づいて、電力制御回路５２１に対して調光制御信号を出力するよう構成されている。またさらに、電力制御回路５２１は、マイクロコンピュータ５２２から出力された調光制御信号に基づいて、電力が供給される発光回路１１１，１１２の照度を調整可能に構成されている。
【００６３】
このような構成を有する照明装置５００によれば、単一の電力制御回路５２１によって、所謂プルレス操作に基づく調色制御（発光色の切り替え制御）と、位相角の情報に基づいて生成された調光制御信号に基づく調光制御（照度調整制御）との双方を実行可能に構成されているため、比較的高価な電力制御回路を複数設ける必要が無く、照明装置５００の製造コストを削減することが出来る。これにより、色温度の異なる複数通りの光を発することができ、且つ照度の制御が可能な高機能の照明装置を安価に提供することが出来る。
【００６４】
特に、本発明の実施の形態に係る照明装置５００では、例えば、調色制御用の外部信号や調光制御用の外部信号を用いることなく、所謂プルレス操作に基づく調色制御及び位相角の情報に基づいて生成された調光制御信号に基づく調光制御を行うよう構成されていることにより、上記のような２つの外部信号を入力処理するための複雑な回路構成にする必要がなく、また、電源や制御回路を複数用いる必要がないため、上記のような２つの外部信号を用いる従来の照明装置よりも、製造コストを抑えることが可能となる。
【００６５】
また、上記のような２つの外部信号により調色制御と調光制御とを実行する従来の照明装置では、特別な制御を行わない限り、ユーザは、調色（発光色の切り替え）と調光（照度調整）を２つの操作器（信号入力）で個別に調整する必要があり、発光色の切り替えに伴って、明るさの再調整が必要になり、作業性が悪いという問題がある。これに対し、本実施形態の照明装置５００では、単一の電力制御回路５２１によって調色制御と調光制御との双方を実行するため、照度を維持した状態（同一の比率）で、発光色を切り替えることが可能となる。すなわち、本実施形態の照明装置５００によれば、例えば５０％の照度で第１の発光回路１１１を点灯させた状態で照明のスイッチをＯＦＦにし、所定時間（例えば０．５〜３秒）以内に再度スイッチをＯＮにすることにより、第１の発光回路１１１と同じ５０％という照度で第２の発光回路１１２を点灯させることが可能となるため、作業性を向上させることが可能となる。
【００６６】
さらに、本実施の形態に係る照明装置５００は、一般的な片切の位相制御方式の調光器３００を利用可能であり、設置にあたり特別な工事を行う必要がないため、リフォーム等にあたり、設置箇所の既存の設備及び配線を利用して低コストで設置することが可能である。
【００６７】
またさらに、図６を参照して説明した通り、本実施の形態に係る照明装置５００において、第１の発光回路１１１の一方の端子ｎ１１及び第２の発光回路１１２の一方の端子ｎ２１は、共通の配線ｎ３１を介して電力制御回路５２１に接続され、第１の発光回路１１１の他方の端子ｎ１２及び第２の発光回路１１２の他方の端子ｎ２２は、独立した配線ｎ３２及びｎ３３を介してそれぞれ電力制御回路５２１に接続されている。
【００６８】
このような態様においては、電力制御回路５２１において第１の発光回路１１１及び第２の発光回路１１２の一端の接続を切り替えることなく、他端の接続を切り替えれば良い。従って、電力制御回路５２１の構成を単純化して、構成要素の小型化及び低コスト化を実現することが出来る。
【００６９】
［その他の実施の形態］
尚、上述の実施の形態に係る照明装置は、お互いに異なる色で発光する第１の発光回路１１１及び第２の発光回路１１２を備えていた。これに対し、例えば、照明装置に、それぞれ異なる色で発光する３以上の複数の発光回路を設けても良い。この場合、例えば、演算回路又は電力制御回路によって少なくとも一つの発光回路を選択し、選択した発光回路に対して演算回路又は電力制御回路から電力を供給することとなる。このような場合においても、演算回路又は電力制御回路を一つ設ければ良いため、製造コストを削減することが出来る。これにより、色温度の異なる複数通りの光を発することができ、且つ照度の制御が可能な照明装置を安価に提供することが出来る。
【００７０】
また、図２〜図４においては、埋め込み式のＬＥＤライト（ダウンライト）として構成された構成例について説明した。しかしながら、本発明に係る照明装置は、各種の照明装置に適用可能である。
【００７１】
さらに、例えば、調光器３００において調整された電力を、直接演算回路又はマイクロコンピュータに供給し、演算回路又はマイクロコンピュータにおいて、調光器３００において付加された情報（例えば、位相角等の位相情報）に基づいて、発光回路に供給する電力を調整することも可能である。例えば、調光器３００において、調光比を５０％〜１００％にまで徐々に増加させた場合、照明装置における調光比を、５０％〜１００％にまで漸次又は多段的に増加させても良い。また、例えば、調光器３００において、調光比を５０％〜１００％にまで徐々に増加させた場合、照明装置における調光比を、１００％〜５０％にまで漸次又は多段的に減少させる反転動作を行っても良い。これらの場合、演算回路又は電力制御回路は、調光器３００において調整された電力から位相角を読み取り、読みとった位相角に基づいて出力する電力の大きさを演算し、演算された値の電力を発生させて、発光回路に供給する。
【符号の説明】
【００７２】
１００，４００，５００…照明装置、１１０…発光部、１１１…第１の発光回路、１１２…第２の発光回路、１２０，４２０，５２０…電力制御部、１２１…選択回路、１２２，４２２…演算回路、１２３…整流・平滑化回路、１３１…発光部載置部、１３２…カバー、１３３…本体、１３４…取付金具、１３５…ケース、１３６…入力端子台、２００…交流電源、３００…調光器、５２１…電力制御回路、５２２…マイクロコンピュータ。
【図１】
2016219425.tif 000003
【図２】
2016219425.tif 000004
【図３】
2016219425.tif 000005
【図４】
2016219425.tif 000006
【図５】
2016219425.tif 000007
【図６】
2016219425.tif 000008